(57)【要約】【課題】  撮影した画像を記憶装置に保存する監視システムにおいて、重要な画像は高速にアクセスすることができ、重要でない画像は保存コストを低減できるようにする。【解決手段】  監視装置１０６が送信する監視画像とセンサー１０３の情報を受信し、外部記録装置群１１４に監視画像を保存する監視システムにおいて、受信したセンサー１０３の情報などから画像の重要度を決定する。決定した重要度が高い画像は、アクセスが高速なメモリ１１１へと保存する。決定した重要度が低い画像は、単位容量あたりの保存コストが低いテープライブラリ装置１１３へ保存する。さらには周期的に画像の情報をチェックし、画像撮影からの時間経過や閲覧状況を元に重要度の再計算を行い、保存する記録装置の変更や、画像の圧縮、復元を行う。【選択図】  図１
2009284367.tif 000002
【特許請求の範囲】
【請求項１】
監視地点の画像を撮影し録画する手段と、監視地点の異常をセンサーによって検知する手段と、センサーが異常を検知した場合に録画された画像と、センサーが検知した情報をあわせてネットワークを通じて送信する手段を持つことを特徴とする監視システム。
【請求項２】
請求項１に記載の監視システムにおいて、さらに、前記ネットワークを通じて送信された、前記センサーが検知した情報と録画された画像データを受信する手段と、センサーの情報を元に画像データの重要度を決定する手段を持つことを特徴とする監視システム。
【請求項３】
請求項２に記載の監視システムにおいて、前記画像が撮影された場所に応じて重要度を変化させる手段を持つことを特徴とする監視システム。
【請求項４】
請求項３に記載の監視システムにおいて、前記センサーが検知した情報に応じて重要度を変化させる手段を持つことを特徴とする監視システム。
【請求項５】
請求項４に記載の監視システムにおいて、前記画像データの参照頻度の変化に応じて重要度を変化させる手段を持つことを特徴とする監視システム。
【請求項６】
請求項５に記載の監視システムにおいて、前記画像が最後に閲覧された日時からどれだけ時間が経っているかに応じて重要度を変化させる手段を持つことを特徴とする監視システム。
【請求項７】
請求項６に記載の監視システムにおいて、前記画像の閲覧者が、閲覧した画像が必要な画像かどうか判断した情報である、画像の要否情報に応じて重要度を変化させる手段を持つことを特徴とする監視システム。
【請求項８】
請求項７に記載の監視システムにおいて、決定した重要度が高い画像データほど、データへのアクセスが高速な記録装置へ保存する手段と、決定した重要度が低い画像データほど、単位容量あたりのコストが低い記録装置へ保存する手段を持つことを特徴とする監視システム。
【請求項９】
請求項８に記載の監視システムにおいて、前記画像についての情報と、重要度を決定する要因をデータベースへ記録する手段を持つことを特徴とする監視システム。
【請求項１０】
請求項９に記載の監視システムにおいて、前記データベースから画像の情報を検索するためのキーを入力する手段と、入力されたキーを元に画像を検索する手段と、画像を前述の記憶装置から取得する手段と、取得した画像を表示して閲覧する手段を持つことを特徴とする監視システム。
【請求項１１】
請求項１０に記載の監視システムにおいて、前記データベースに登録されている情報の一部または全部を入力する手段と、入力された情報を前記データベースに反映して更新する手段と、前記データベースの情報が変更された結果を表示する手段を持つことを特徴とする監視システム。
【請求項１２】
請求項１１に記載の監視システムにおいて、入力によって変更された前記データベースの情報を元に、重要度を決定する手段を持つことを特徴とする監視システム。
【請求項１３】
請求項１２に記載の監視システムにおいて、決定した重要度が高いほど、そのとき画像データが保存されている前記記録装置よりも、アクセスが高速な記録媒体へ画像データを移動させる手段と、決定した重要度が低いほど、そのとき画像データが保存されている記録装置よりも、単位容量あたりのコストが低い記録装置へ画像データを移動させる手段を持つことを特徴とする監視システム。
【請求項１４】
請求項１２に記載の監視システムにおいて、特定の周期で自動的に前記データベースの情報をチェックする手段と、チェックした情報を元に重要度の決定を行う手段と、さらに、記録先を変更する手段を持つことを特徴とする監視システム。
【請求項１５】
請求項１４に記載の監視システムにおいて、特定の周期間の画像参照回数の変化から画像データの圧縮率を変更する手段を持つことを特徴とする監視システム。
【請求項１６】
請求項１４に記載の監視システムにおいて、画像が最後に閲覧された日時からどれだけ時間が経っているかに応じて画像データの圧縮率を変更する手段を持つことを特徴とする監視システム。
【請求項１７】
請求項１４に記載の監視システムにおいて、圧縮処理がされている画像データの閲覧状況から、画像データの復元する手段を持つことを特徴とする監視システム。
【請求項１８】
請求項１４に記載の監視システムにおいて、画像の録画日時からどれだけ時間が経っているかで重要度を変化させる手段を持つことを特徴とする監視システム。
【発明の詳細な説明】
【技術分野】
【０００１】
本発明は、監視システムに関し、さらに詳しくは参照頻度に差のある画像重み付け保存先振り分けによる監視画像の保存装置、方法に関する。
【背景技術】
【０００２】
最近、個人情報保護法の施行などによって、映像監視システムの需要が伸びている。企業内部からの機密情報や個人情報の漏洩が相次いでおり、情報漏洩発覚時の確認や、企業の監視体制の正当性を証明するための証拠として、監視画像の長期的な保存の需要が特に高まってきている。また、長期的な保存をしつつも、要請時にはすぐに画像が閲覧できる体制が求められている。
【０００３】
記録した全ての画像をサーバ内のHDDに蓄積して保存しておくことは、大きなコストがかかるという課題がある。
【０００４】
そこで一般的には、撮影日時が古い画像などの一部のデータを単位容量あたりのコストが低いテープライブラリにコピーし、HDDからは削除して保存するという手段がとられている。
【０００５】
【特許文献１】特開２０００−２２４５４２号公報
【特許文献２】特開２００５−２５５３３号公報
【特許文献３】特開２００３−１５３１９５号公報
【発明の開示】
【発明が解決しようとする課題】
【０００６】
しかし、テープライブラリに画像を保存した場合は、テープ媒体へは順次アクセスしか行えないため、画像へのアクセスに時間がかかるというデメリットがある。そのため頻繁にアクセスされるような重要な画像がテープライブラリに保存されていると、そのたびに応答時間がかかってしまうという課題がある。
【０００７】
従って本発明の目的の一つは、監視画像を保存する際にかかってしまうコストの低減にある。二つは頻繁にアクセスされる監視画像を閲覧する際の応答時間が長いという課題を解決することにある。
【課題を解決するための手段】
【０００８】
上記目的を達成するために、本発明は、画像に重要度を設定し、重要度が高い画像は短時間でアクセス可能な記録装置に保存し、重要度が低い画像はコストの低い記録装置に保存し、かつ一定期間アクセスがない画像は圧縮処理を行って、さらに保存コストの低減を図ることができるようにした。例えば、特定の地点を監視する監視装置から警報があったとき、警報のトリガとなるセンサー情報や、警報時間、監視地点の情報などから監視画像の重要度を算出する手段と、算出した重要度が高いほどアクセスが高速な記録装置へ保存する手段と、逆に重要度が低いほど、画像を保存するコストが低い記録装置へと保存する手段を具備する。
【０００９】
これにより、重要度が高い監視画像については閲覧のための応答時間を短縮することができ、重要度が低い監視画像については保存コストの低い記録装置で保存をすることができる。
【００１０】
さらにデータベースに記録された監視画像の情報を周期的にチェックする手段と、頻繁にアクセスがある監視画像については重要度を高める手段と、アクセスが高速な記録装置へ移動させる手段を具備する。
【００１１】
これにより、頻繁にアクセスがある監視画像閲覧の際の応答時間を短縮する。また、周期的にチェックを行った際に、一定期間閲覧されていなかった監視画像を自動で圧縮する手段を具備し、監視画像のデータサイズを小さくすることで、監視画像の長期保存コストをさらに低減する。
【発明の効果】
【００１２】
本発明によれば、警報時に重要と判定された監視画像はアクセスが高速な記録装置へ自動的に保存され、閲覧の際、応答時間が短縮される。また重要と判定されなかった監視画像は、保存コストが低い記録装置へ自動的に保存され、長期保存のコストが低減される。
【００１３】
さらに保存した画像の情報を周期的にチェックし、閲覧が頻繁に行われる監視画像をアクセスが高速な記録装置へ移動することで、より画像閲覧の応答時間が短縮される。
【００１４】
また閲覧頻度が落ちている監視画像をコストが低い記録装置へ保存することで、画像保存のコストを低減できる。また、長期間閲覧が行われなくなった画像を圧縮して保存することで、さらに保存コストを低減できる。
【発明を実施するための最良の形態】
【００１５】
以下、本発明の実施の形態を、図を参照して説明する。
【実施例１】
【００１６】
図１は本発明の実施形態における監視画像重み付け保存先振り分け装置の記録時の構成図である。
【００１７】
本実施形態における監視システムでは、監視対象となる地点の監視装置１０６がネットワークを介して画像蓄積処理装置１１０と接続されており、通信が可能である。また画像蓄積処理装置１１０は外部記憶装置群１１４の各記録装置と接続されており、画像データを記録することができる。
【００１８】
監視装置１０６は、監視地点の画像を撮影する監視カメラ１０１、画像を録画する画像録画処理部１０２、現場の異常を検知するセンサー１０３、センサーが異常を検知した際に検出を行うイベント検出処理部１０４、イベント検出処理部１０４から受け取ったセンサーの情報と、画像録画処理部１０２が録画した画像データを、ネットワークを介して画像蓄積処理装置１１０へ送信する警報処理部１０５を備える。
【００１９】
画像蓄積処理装置１１０は、警報処理部１０５から送られたセンサー情報と画像データを受け取り、重要度を計算して画像情報レコードを作成する重要度決定処理部１０７、重要度決定処理部から画像情報レコードと画像を受け取り、各データを保存先へ振り分ける保存先振り分け処理部１０８、画像情報レコードを記録する重要度、画像、保存先関連データベース１０９を備える。
【００２０】
外部記憶装置群１１４は、メモリ１１１、ハードデスクドライブ（HDD）１１２、テープライブラリ装置１１３の外部記憶装置の集合である。外部記憶装置は、メモリ１１１、ＨＤＤ１１２、テープライブラリ装置１１３の順に、記録した画像へのアクセスが高速である。また、テープライブラリ装置１１３、ＨＤＤ１１２、メモリ１１１の順に単位記憶容量あたりのコストが低い記憶媒体である。
【００２１】
図２は監視画像重み付け保存先振り分け装置画像閲覧時の構成図である。画像閲覧装置２０６は外部記憶装置群１１４と重要度、画像、保存先関連データベース１０９に接続されている。
【００２２】
画像閲覧装置２０６は画像の検索キーの入力と、検索結果の表示を行う画像情報検索インタフェース２０１、データベースから検索を行う画像検索処理部２０２、複数の検索結果から一つの画像を選択する画像選択インタフェース２０３、外部記憶装置から画像を取得する画像取得処理部２０４、画像の出力を行う画像出力処理部２０５を備える。
【００２３】
図３は、図４の画像情報４０１に変更を加える、監視画像重み付け保存先振り分け装置の画像情報変更時の構成図である。画像情報変更装置３０５は外部記憶装置群１１４と重要度、画像、保存先関連データベース１０９に接続されている。
【００２４】
画像情報変更装置３０５は、変更情報を入力する画像情報変更インタフェース３０１、変更処理を行う画像情報変更処理部３０２、外部記憶装置から別の外部記憶装置へ画像の移動を行うデータ移動処理部３０４、画像情報４０１の変更や、画像の移動結果を出力する変更結果出力処理部３０３を備える。
【００２５】
図４は重要度、画像、保存先関連データベース１０９に記録される画像情報４０１の図である。画像情報４０１は次のような項目を持つ。画像ＩＤ４０２は各画像に割り当てられる固有なＩＤである。発生年月日時分秒４０３は画像を録画した日時情報である。サイト情報４０４は監視地点についての情報であり、顧客との契約などによって重要な監視地点かどうかの情報を記録する。記録要因４０５はセンサー１０３の検知結果を閾値によって判定したアラート種別である。記録場所４０６は画像が保存される外部記憶装置を指し示すデータパスである。
【００２６】
圧縮状態４０８は画像の圧縮状態が記録されていて、無圧縮、圧縮１、圧縮２、圧縮３の値を持ち、無圧縮〜圧縮３の順に圧縮率が高くなり、画像のデータサイズは小さくなる。周期内参照回数４０８は特定の周期、例えば1週間といった周期内に何回参照されていたかを記録する。前周期内参照回数４０９は一つ前の周期における周期内参照回数４０８が記録されている。最終アクセス日時４１０は最後に画像の閲覧が行われた日時であり、閲覧が１度もされていなければＮＵＬＬなど未閲覧が識別できる値が記録される。画像の要否４１１は画像が閲覧された際、閲覧者がその画像を必要でないと判断した場合に”否”と記録され、それ以外は”要”となる。重要度４１２は画像情報４０１内の特定の項目内容から算出される数値である。算出方法については後述する。
【００２７】
図６はデータベースの情報を周期的にチェックし、チェックの結果によって外部記録装置群１１４に記録された画像を移動させる処理や、画像を圧縮して保存する処理を行う際の構成図である。
【００２８】
データ処理部６０４は外部記憶装置群１１４と重要度、画像、保存先関連データベース１０９に接続されている。データ処理部６０４は、周期的にデータベースのチェックを行い、データベースの情報を更新する周期チェック処理部６０１、画像データを別の外部記録装置へ移動させるデータ移動処理部６０２、テープライブラリ装置１１３に記録された画像を圧縮、復元する圧縮処理部６０３によって構成される。
【００２９】
以上が本発明の実施形態における構成の説明である。次に、本実施形態の処理手順について説明する。
【００３０】
図１と図７を参照して、監視装置１０６が撮影した画像を外部記憶装置群１１４へ保存するまでの処理手順を説明する。図7は監視画像を各外部記憶装置に振り分けて保存する処理のフローチャートである。
【００３１】
監視装置１０６のセンサー１０３が異常を検知した場合に、イベント検出処理部１０４が発生時間やセンサー１０３の情報を検出する(ステップ７０１)。イベント検出処理部１０４は警報処理部１０５へ検出した情報を送信する。画像録画処理部１０２は、常時監視カメラ１０１の撮影した映像を特定の記憶領域に録画し続けており、記憶領域が一杯となったら古いものから上書きをして記録している。警報処理部１０５は画像録画処理部１０２から発生時間にあたる部分の画像を取得し、イベント検出処理部１０４から受け取った情報とあわせて画像蓄積処理装置１１０へ送信を行う(ステップ７０２)。
【００３２】
重要度決定処理部１０７は警報処理部１０５から受け取った情報から、重要度、画像、保存先関連データベース１０９へ保存する画像情報４０１のレコードを作成し、画像の重要度を決定する(ステップ７０３)。
【００３３】
ここで、画像の重要度４１２を決定する方法について説明する。重要度決定処理部１０７は警報処理部１０５から、監視画像、発生年月日時分秒４０３、サイト情報４０４、センサー情報を受け取る。受け取った情報のうち、センサー情報を閾値によって判定し、記録要因４０５として記録されるアラート種別に分類する。その後データベースに書き込むためのレコードを作成し、画像固有の画像ID４０２を決め、発生年月日時分秒４０３、サイト情報４０４、記録要因４０５の項目の情報を書き込む。またレコード作成時はデフォルトの値として、圧縮状態４０７は無圧縮、周期内参照回数４０８と前周期内参照回数４０９は０回、最終アクセス日時４１０はＮＵＬＬ、画像の要否４１１は要とする。重要度４１２の決定は、画像情報４０１の各項目の内容に応じた点数が設定してあり、これらを計算することで行われる。
【００３４】
各項目の点数について説明すると、図４の点数表４１３に示すように、発生年月日時分秒４０３については、現在の時刻と比べて、例えば１日以内であれば５０点、１日を過ぎていて１週間以内であれば３０点、１週間を過ぎていて、１か月以内であれば１０点、１か月を過ぎていれば０点と設定する(項目４１４)。サイト情報４０４については、顧客や契約によって監視地点に条件をつけ、例えば５０点の監視地点A、３０点の監視地点B、１０点の監視地点Cと設定する(項目４１５)。記録要因４０５については、センサー１０３が検知してあげられた要因であり、例えばメジャー５０点、マイナー３０点、ワーニング１０点と設定する(項目４１６)。周期内参照回数４０８と前周期内参照回数４０９については、例えば前周期より今回の周期のほうが参照回数より増えていたら５０点、参照回数が変わらなかったら０点、減っていたら−５０点と設定する(項目４１７)。画像の要否４１１については、例えば要であれば1点、否であれば０点を設定する(項目４１８)。これらの点数の割り当ては、運用に応じて変更してかまわない。
【００３５】
重要度４１２の計算は、(発生年月日時分秒４０３による点数＋サイト情報４０４による点数＋記録要因４０５による点数＋周期内参照回数４０８、前周期内参照回数４０９による点数)×画像の要否４１１による点数、として計算する。計算結果を重要度４１２として記録する。つまり、重要度４１２の計算の際に、周期ごとの参照回数が変化している場合や、撮影時から時間が経っている場合に重要度４１２は変化し、さらに画像の要否４１１が否に設定されれば重要度４１２は０点となる。ここで例えば画像の要否４１１が否である場合の点数を、０点でなく０．５点などと設定すれば、重要度を極端に０点とするのではなく小さな値にするという計算も可能である。以上が重要度４１２の決定方法である。
【００３６】
具体的な例として、図５の５０１、５０４のように記録される画像を取得し、発生日当日(本例では2008/1/1)に重要度の決定を行った場合について説明する。発生年月日時分秒４０３は、計算日時が発生日当日であるので、発生から１日以内であるため５０点、サイト情報４０４は地点Ａであるので５０点、記録要因４０５はメジャーであるので５０点、周期内参照回数４０８が０回、前周期内参照回数４０９が０回であるので参照回数に変化がないことから０点となり、画像の要否４１１は”要”であるため１点になる。そして計算を行うと、(５０＋５０＋５０＋０)×１となり、重要度４１２は１５０点となる。
【００３７】
重要度４１２が決定された後、重要度決定処理部１０７は保存先振り分け処理部１０８に画像と画像情報４０１を渡す。保存先振り分け処理部１０８は重要度４１２を参照し、その数値によって保存先を決定する。例えば１００点を超えていたら重要度大としてメモリ１１１、３０〜１００点であれば重要度中としてHDD１１２、３０点より小さければ重要度小としてテープライブラリ装置１１３を画像データの保存先とする。点数の範囲は運用に応じて変更してかまわない。前述した図５の５０１、５０４のデータ例では、重要度４１２は１５０点であるため、重要度大と判定され、保存先はメモリ１１１となる。保存先の情報を記録場所４０６へ記入した後、画像情報４０１を重要度、画像、保存先関連データベース１０９へ記録する(ステップ７０４)。その後、重要度４１２に応じた保存先へ画像の振り分けが行われ(ステップ７０５)、前述した例で確定した保存先へ画像データが保存される(ステップ７０６、ステップ７０７、ステップ７０８)。以上が画像を外部記憶媒体群１１４に保存するまでの処理手順である。
【００３８】
次に、画像を閲覧する際の処理手順を、図２、図８を参照して説明する。図８は画像を閲覧するためのフローチャートである。
【００３９】
画像を閲覧するためには、画像情報検索インタフェース２０１へ検索のためのキーを入力する(ステップ８０１)。このときの検索キーとして、画像ＩＤ４０２、日付の一部、サイト情報４０４、記録要因４０５などが挙げられる。画像情報検索インタフェース２０１は、検索キーを画像検索処理部２０２へ渡し、画像検索処理部２０２は検索キーを元に、重要度、画像、保存先関連データベース１０９を検索する(ステップ８０２)。そして得られた検索結果を画像情報検索インタフェース２０１と画像選択インタフェース２０３へ表示させる(ステップ８０３)。ここで検索結果が1つに絞られたかどうかを判定する(ステップ８０４)。一つに絞られていなかった場合は、画像情報検索インタフェース２０１でさらに時分秒といった条件を付け加えて検索をかけて絞り込むか、画像選択インタフェース２０３で検索結果からただ1つ選択する(ステップ８０５、ステップ８０６)。検索結果が1つに絞られた場合、検索された画像情報４０１内の記録場所４０６を参照し、画像取得処理部２０４へ渡す。
【００４０】
また、周期内参照回数４０８を一つ増やし、最終アクセス日時４１０にその時刻を書き込んだ後、データベースへ記録を行う。取得処理部２０４は渡された記録場所４０６の情報を元に、外部記憶装置群１１４から画像を取得する(ステップ８０７)。画像取得処理部２０４は、取得した画像を画像出力処理部２０５へ渡す。画像出力処理部２０５が受け取った画像を表示することで目的の画像を閲覧することができる(ステップ８０８)。以上が画像を閲覧する処理の説明である。
【００４１】
次に、画像情報４０１を変更する際の処理手順を、図３、図９を参照して説明する。図９は画像情報変更処理のフローチャートである。この処理は画像の閲覧者が、閲覧した画像が不要であると判断した場合に行う処理である。例えば監視装置１０６から画像が送られてきたときに、算出された重要度４１２は高い値であったが、実は誤報であった場合など、画像を閲覧して判断した結果を重要度４１２へ反映させることを目的としている。
【００４２】
画像情報変更インタフェース３０１に、画像情報４０１を変更したい画像の画像ＩＤ４０２と、画像の要否４１１を入力する(ステップ９０１)。画像情報変更インタフェース３０１は、画像情報変更処理部３０２へ入力された情報を渡す。画像情報変更処理部３０２は入力された情報を、重要度、画像、保存先関連データベース１０９へ反映させる(ステップ９０２)。その後変更した画像情報４０１を元に、重要度再計算処理(ステップ９０３)を行う。重要度再計算処理は、図１１に示すフローチャートに従って重要度４１２を再計算する。はじめに、周期内参照回数４０８と前周期内参照回数４０９を取得(ステップ１１０１)して、カウントの増減を調べる(ステップ１１０２)。周期内参照回数４０８が前周期内参照回数よりも増えていたら５０点、変化がなければ０点、減っていたら−５０点を付ける(ステップ１１０３、ステップ１１０４、ステップ１１０５)。次に発生年月日時分秒４０２と、周期チェック実行時の日時を取得する(ステップ１１０６)。発生年月日時分秒４０２と、周期チェック実行時の日時を比較して、どれだけ時間が経過しているか調べる(ステップ１１０７)。点数表４１３から、発生年月日時分秒４０２による点数を設定する(ステップ１１０８、ステップ１１０９、ステップ１１１０、ステップ１１１１)。
【００４３】
最後に前述した重要度決定処理と同様に計算を行い(ステップ１１１２)、重要度４１２を決定する。計算の結果、重要度４１２が変化した場合(特に画像の要否４１１を”要”から”否”に設定すると重要度４１２は０点となる)、図７のステップ７０５と同様の判定から画像を移動させるかを判定する(ステップ９０４)。画像の移動が必要でなかった場合は、変更結果を変更結果出力処理部３０３で表示する(ステップ９０７)。画像の移動が必要と判定された場合、画像ＩＤ４０２、移動前の画像の記録場所４０６と移動後の記録場所４０６をデータ移動処理部３０４へ渡す。
【００４４】
このとき移動対象となる画像が、テープライブラリ装置１１３に記録されていて、かつ圧縮されていた場合、圧縮処理部６０３で解凍処理を行う(ステップ９０５)。データ移動処理部３０４は受け取った画像の移動前後の情報から、画像の移動を行う(ステップ９０６)。画像の移動後は変更結果を変更結果出力処理部３０３で表示する(ステップ９０７)。
【００４５】
次に、画像情報４０１の周期チェックによって画像の保存先を変更する処理、または画像の自動圧縮処理手順を、図６、図１０を参照して説明する。周期チェックが実行される周期については、画像情報４０１内の項目である周期内参照回数４０８をカウントする周期と同一であるものとする。周期チェックは、重要度、画像、保存先関連データベース１０９内の画像情報４０１全てについて行われる。以下、ある一つの画像情報４０１をチェックした場合について説明する。
【００４６】
周期チェック処理部６０１が、一定の周期、例えば1週間で自動的に周期チェック処理を実行する。周期チェック処理部６０１が重要度、画像、保存先関連データベース１０９内の画像情報４０１をチェックする(ステップ１００１)。記録場所４０６をチェックし、保存先がテープライブラリ装置１１３かどうかを調べる(ステップ１００２)。保存先がテープライブラリ装置１１３でなかった場合は前述した重要度再計算処理を行う(ステップ１００３)。計算結果から、点数に対応した記録装置へ画像の移動が必要かを判定する(ステップ１００４)。
【００４７】
画像の移動が必要な場合、周期チェック処理部６０１は、画像ＩＤ４０２や移動前後の保存先の情報をデータ移動処理部６０２へ渡す。データ移動処理部６０２は受け取った情報から、画像を重要度４１２に応じた保存先へ移動を行う(ステップ１００５)。ステップ１００４で画像の移動が必要でない場合やステップ１００５の後は、処理結果に応じてデータベースを更新する(ステップ１００９)。また、ステップ１００２で、保存先がテープライブラリ装置１１３である場合には、最終アクセス日時４１０をチェックする(ステップ１００６)。
【００４８】
最終アクセス日時４１０と周期チェック実行時の日時を比べ、特定の期間、例えば１か月など画像へのアクセスがあったかどうかを判定する(ステップ１００７)。特定の期間アクセスがなければ、周期チェック処理部６０１が圧縮状態４０７を参照し、データサイズがさらに小さくなるように圧縮段階を一つ上げて、圧縮処理部６０３に画像圧縮を実行させる(ステップ１００８)。ステップ１００７で、特定期間内に画像へのアクセスがあった場合、またはステップ１００８実行後は、処理結果に応じてデータベースを更新する(ステップ１００９)。
【００４９】
以上が周期チェックによって画像の保存先を変更する処理、または画像の自動圧縮処理の説明である。図５の５０２、５０５のような画像情報４０１を例に挙げて、画像の移動が行われる場合について説明する。
【００５０】
ステップ１００２の判定で、保存先がHDDであるため、ステップ１００３の重要度再計算処理を行う。そのとき、周期内参照回数４０８が３回、前周期内参照回数４０９が５回であったとすると、前周期に比べ、今の周期のほうが参照回数より減っているため、この部分を−５０点として重要度４１２を計算する。その結果、重要度４１２は６０点から１０点となり、記録場所がＨＤＤからテープとなる。そしてステップ１００４で画像の移動が必要と判定され、ステップ１００５でＨＤＤ１１２からテープライブラリ装置１１３へ画像が移動される。最後にステップ１００９で、前周期参照回数４０９を周期内参照回数４０８の値に更新し、周期内参照回数４０８は０回へリセットする。これは今の周期の参照回数と、次の周期の参照回数を比べるための準備である。
【００５１】
また、図５の５０３、５０６を例に挙げて、画像が圧縮される場合について説明する。ステップ１００２の判定で、保存先がテープとなっているため、ステップ１００６で最終アクセス日時４１０をチェックする。ステップ１００７で周期チェック時の日時と比較して、特定の期間、ここでは例として１か月、アクセスされていなかったとする。１か月以上アクセスがなければ、ステップ１００８で、圧縮率を１段あげて、圧縮１から圧縮２として画像を保存する。その後、ステップ１００９で、画像情報４０１の圧縮状態４０７を、圧縮１から圧縮２に更新して終了する。
【図面の簡単な説明】
【００５２】
【図１】本発明の一実施例を示す、監視画像重み付け保存先振り分け装置の記録時の構成図
【図２】監視画像重み付け保存先振り分け装置画像閲覧時の構成図
【図３】監視画像重み付け保存先振り分け装置の画像情報変更時の構成図
【図４】データベースに記録される画像の情報のテーブル構成例と各データの点数表
【図５】データベースに記録される画像の情報の一例
【図６】周期チェック、データ移動、自動圧縮処理時の構成図
【図７】監視画像重み付け保存先振り分け装置の画像記録処理のフローチャート
【図８】監視画像重み付け保存先振り分け装置の画像閲覧処理のフローチャート
【図９】監視画像重み付け保存先振り分け装置の画像情報変更処理のフローチャート
【図１０】監視画像重み付け保存先振り分け装置の周期チェック、データ移動、自動圧縮処理のフローチャート
【図１１】監視画像重み付け保存先振り分け装置の重要度再計算処理のフローチャート
【符号の説明】
【００５３】
１０６：監視装置、１０７：重要度決定処理部、１０８：保存先振り分け処理部、１０９：重要度、画像、保存先関連データベース、１１０：画像蓄積処理装置、１１４：外部記憶装置群、３０２：画像情報変更処理部、３０４：データ移動処理部、３０５：画像情報変更装置、４１２：重要度、６０１：周期チェック処理部、６０２：圧縮処理部、６０３：データ処理部
【図１】
2009284367.tif 000003
【図２】
2009284367.tif 000004
【図３】
2009284367.tif 000005
【図４】
2009284367.tif 000006
【図５】
2009284367.tif 000007
【図６】
2009284367.tif 000008
【図７】
2009284367.tif 000009
【図８】
2009284367.tif 000010
【図９】
2009284367.tif 000011
【図１０】
2009284367.tif 000012
【図１１】
2009284367.tif 000013